(57)【特許請求の範囲】
【請求項１】
被写体像の光電変換を行なって該被写体像に対応する画像データを得る撮像手段と、
前記撮像手段で得られた画像データを画像データファイルとして記録媒体に記録する画像記録手段と、
携帯電話との間でデータの授受を行なうデータ授受手段と、
前記データ授受手段を介して、所定の携帯電話にファイル名要求を送信し、前記ファイル名要求に応じて前記所定の携帯電話から送信された文字列を受信する文字列受信手段と、
使用者の操作に応じて、前記画像データファイルに付与するファイル名の設定方法を選択する選択手段と、
前記選択手段で第１の方法が選択された場合には、前記ファイル受信手段で受信した文字列をファイル名として設定し、第２の方法が選択された場合には、予め用意された定義に従ったファイル名を設定するファイル名設定手段と、
を有することを特徴とする電子カメラ。
【請求項２】
前記データ授受手段によってデータの授受を行なうことのできる携帯電話の存在の有無の判別を行なう判別手段を更に有し、
前記ファイル名設定手段は、前記判別の結果、前記データ授受手段によってデータの授受を行なうことのできる携帯電話が存在しないと判別されたときには、予め用意されているファイル名を前記画像データファイルのファイル名として設定する、
ことを特徴とする請求項１に記載の電子カメラ。
【請求項３】
前記記録媒体に記録されている前記画像データファイルを選択する画像ファイル選択手段と、
前記画像ファイル選択手段で選択された画像データファイルのファイル名を、前記文字列受信手段で受信した前記文字列を一部または全部とするファイル名に変更するファイル名変更手段を更に有することを特徴とする請求項１に記載の電子カメラ。
【請求項４】
前記ファイル名変更手段は、前記文字列を前記画像データファイルのファイル名の一部とするときには、該文字と、該画像データファイル毎に連番で付される番号とを組み合わせて該ファイル名を生成することを特徴とする請求項３に記載の電子カメラ。
【請求項５】
前記データ授受手段を介して、所定の携帯電話にフォルダ名要求を送信し、前記フォルダ名要求に応じて前記所定の携帯電話から送信された第２の文字列を受信する第２の文字列受信手段と、
前記記録媒体に記録されている前記画像データファイルを格納するフォルダのフォルダ名を前記第２の文字列に基づいて設定するフォルダ名設定手段と、
を更に有することを特徴とする請求項１に記載の電子カメラ。
【請求項６】
前記データ授受手段によってデータの授受を行なうことのできる携帯電話の存在の有無の判別を行なう判別手段を更に有し、
前記フォルダ名設定手段は、前記判別の結果、前記データ授受手段によってデータの授受を行なうことのできる携帯電話が存在しないと判別されたときには、予め用意されているフォルダ名を前記フォルダのフォルダ名として設定する、
ことを特徴とする請求項５に記載の電子カメラ。
【請求項７】
電子カメラと、無線通信路を介して電話交換機との間で音声信号の授受を行なうことによって通話を行なう携帯電話とからなる電子カメラシステムであって、
前記電子カメラは、
被写体像の光電変換を行なって該被写体像に対応する画像データを得る撮像手段と、
前記撮像手段で得られた画像データを画像データファイルとして記録媒体に記録する画像記録手段と、
携帯電話との間でデータの授受を行なうデータ授受手段と、
前記データ授受手段を介して、所定の携帯電話にファイル名要求を送信し、前記ファイル名要求に応じて前記所定の携帯電話から送信された文字列を受信する文字列受信手段と、
使用者の操作に応じて、前記画像データファイルに付与するファイル名の設定方法を選択する選択手段と、
前記選択手段で第１の方法が選択された場合には、前記ファイル受信手段で受信した文字列をファイル名として設定し、第２の方法が選択された場合には、予め用意された定義に従ったファイル名を設定するファイル名設定手段と、
を有し、
前記携帯電話は、
前記電子カメラとの間でデータの授受を行なう第２のデータ授受手段と、
前記第２のデータ授受手段を介して、前記電子カメラから前記ファイル名要求を受信するファイル名要求受信手段と、
使用者の操作に応じて入力された文字データを取得する文字データ取得手段と、
前記文字データ取得手段で取得した文字データを文字列として、前記第２のデータ授受手段を介して前記ファイル名要求を送信した電子カメラに送信する文字データ送信手段と、
を有する、
ことを特徴とする電子カメラシステム。
【請求項８】
前記携帯電話は、
通話先を特定する名称を示す文字データと、該通話先の電話番号とが関連付けられている電話帳を記憶する電話帳記憶手段と、
使用者の選択に応じて、前記電話帳から選択される前記名称を示す文字データを取得する第２の文字データ取得手段と、
を更に有し、
前記文字データ送信手段は、前記第２の文字データ取得手段で取得した文字データを、前記第２のデータ授受手段を介して前記ファイル名要求を送信した電子カメラに送信する、
ことを特徴とする請求項７に記載の電子カメラシステム。
【発明の詳細な説明】
【０００１】
【発明の属する技術分野】
本発明は、電子カメラについての技術に関し、特に、電子カメラで文字情報を記録する技術に関する。
【０００２】
【従来の技術】
光学レンズなどを用いて結像させた被写体像をＣＣＤ（Charge Coupled Device ）などの撮像素子で電気信号に変換し、記録媒体に撮像画像として記録する電子カメラが広く普及している。この電子カメラでは、撮像画像を示す画像データを記録する記録媒体として、半導体メモリ等を備えて構成されている、データの読み書きの可能なメモリカードが広く利用されている。
【０００３】
画像データはデータファイルの形式でメモリカードに記録される。電子カメラにおけるメモリカード内でのデータ管理の方式は、画像データのコンピュータ等での利用の際の利便性等の理由により、計算機システムで使用される各種のオペレーティングシステム（ＯＳ）で提供されている、フォルダ（ＯＳによってはディレクトリなどとも称される）システムによる階層構造のデータ管理を行なうものが多い。
【０００４】
【発明が解決しようとする課題】
上述したようなメモリカード内のデータ管理のシステムでは、ユーザがデータファイルやフォルダに名称を付すことが大概は可能である。しかしながら、従来の電子カメラでは、これらのデータファイルやフォルダにユーザが自由な名称を付すことができなかった。これは、操作性や携帯性等の理由により電子カメラに備えられる操作子の数が制限されてしまうため、ユーザの所望するこれらの名称を入力指示するための操作子等を電子カメラに備えることが困難であることが大きな原因として考えられる。
【０００５】
このために、従来の電子カメラでは、例えば、予め用意されているデフォルトの名称が付されたフォルダがメモリカードに作成され、そして、撮影を行なう度に、予め用意されているデフォルトの名称と撮影日時や撮影順序などに応じた数字とを組み合わせた名称の付された画像データファイルがそのフォルダ内に次々と作成されて格納されるように構成されていた。
【０００６】
ここで、もしもこれらのフォルダやデータファイルの名称の変更をユーザが望むのであれば、例えばこのメモリカード内のデータの読み書きの可能なコンピュータを使用してその変更を行なっていた。しかし、このためにはメモリカードを電子カメラから取り外してコンピュータに装着する煩わしい作業が必要であった。また、フォルダや画像データファイルに自由な名称を撮影場所で直ちに付すためには、電子カメラと比較して携帯性に乏しいこのようなコンピュータを携行する必要があり、不便であった。
【０００７】
以上の問題を鑑み、電子カメラ自体に文字入力のための操作子を新たに設けることなく、文字による各種の情報の受け取りを可能とすることが本発明が解決しようとする課題である。
【０００８】
【課題を解決するための手段】
本発明に係る電子カメラは、被写体像の光電変換を行なって該被写体像に対応する画像データを得る撮像手段と、前記撮像手段で得られた画像データを画像データファイルとして記録媒体に記録する画像記録手段と、携帯電話との間でデータの授受を行なうデータ授受手段と、前記データ授受手段を介して、所定の携帯電話にファイル名要求を送信し、前記ファイル名要求に応じて前記所定の携帯電話から送信された文字列を受信する文字列受信手段と、使用者の操作に応じて、前記画像データファイルに付与するファイル名の設定方法を選択する選択手段と、前記選択手段で第１の方法が選択された場合には、前記ファイル受信手段で受信した文字列をファイル名として設定し、第２の方法が選択された場合には、予め用意された定義に従ったファイル名を設定するファイル名設定手段と、を有することを特徴とする。
また、本発明に係る電子カメラシステムは、電子カメラと、無線通信路を介して電話交換機との間で音声信号の授受を行なうことによって通話を行なう携帯電話とからなる電子カメラシステムであって、前記電子カメラは、被写体像の光電変換を行なって該被写体像に対応する画像データを得る撮像手段と、前記撮像手段で得られた画像データを画像データファイルとして記録媒体に記録する画像記録手段と、携帯電話との間でデータの授受を行なうデータ授受手段と、前記データ授受手段を介して、所定の携帯電話にファイル名要求を送信し、前記ファイル名要求に応じて前記所定の携帯電話から送信された文字列を受信する文字列受信手段と、使用者の操作に応じて、前記画像データファイルに付与するファイル名の設定方法を選択する選択手段と、前記選択手段で第１の方法が選択された場合には、前記ファイル受信手段で受信した文字列をファイル名として設定し、第２の方法が選択された場合には、予め用意された定義に従ったファイル名を設定するファイル名設定手段と、を有し、前記携帯電話は、前記電子カメラとの間でデータの授受を行なう第２のデータ授受手段と、前記第２のデータ授受手段を介して、前記電子カメラから前記ファイル名要求を受信するファイル名要求受信手段と、使用者の操作に応じて入力された文字データを取得する文字データ取得手段と、前記文字データ取得手段で取得した文字データを文字列として、前記第２のデータ授受手段を介して前記ファイル名要求を送信した電子カメラに送信する文字データ送信手段と、を有する、ことを特徴とする。
【０００９】
上記の構成によれば、携帯電話に対する入力情報に基づいて文字データが取得されて電子カメラに送信される。一方、電子カメラでは携帯電話から送信された文字データが記録媒体に記録される。従って、電子カメラに文字入力のための操作子を新たに設けることなく、文字による各種の情報を受け取って記録媒体に記録させることができる。
【００１３】
なお、上述した構成を有する電子カメラにおいて、前記データ授受手段によってデータの授受を行なうことのできる携帯電話の存在の有無の判別を行なう判別手段を更に有し、前記ファイル名設定手段は、前記判別の結果、前記データ授受手段によってデータの授受を行なうことのできる携帯電話が存在しないと判別されたときには、予め用意されているファイル名を前記画像データファイルのファイル名として設定するように構成すると、この電子カメラとデータの授受を行なえる携帯電話を有していなくても、ファイル名の無い画像データファイルが生成されてしまうような支障が生じない。
【００１４】
また、前述した構成を有する電子カメラにおいて、前記記録媒体に記録されている前記画像データファイルを選択する画像ファイル選択手段と、前記画像ファイル選択手段で選択された画像データファイルのファイル名を、前記文字列受信手段で受信した前記文字列を一部または全部とするファイル名に変更するファイル名変更手段を更に有するように構成してもよい。
この構成によれば、コンピュータ等を使用しなくても画像データファイルのファイル名を使用者が変更することができる。
【００１５】
なお、このとき、前記ファイル名変更手段が、前記文字列を前記画像データファイルのファイル名の一部とするときには、該文字と、該画像データファイル毎に連番で付される番号とを組み合わせて該ファイル名を生成するようにしてもよく、こうすることにより、画像データファイルのファイル名に基づくグループ化を行なうことができるようになるので、画像データファイルの整理に便利である。
【００１６】
また、前述した構成を有する電子カメラにおいて、前記データ授受手段を介して、所定の携帯電話にフォルダ名要求を送信し、前記フォルダ名要求に応じて前記所定の携帯電話から送信された第２の文字列を受信する第２の文字列受信手段と、前記記録媒体に記録されている前記画像データが格納されている画像データファイルを格納するフォルダのフォルダ名を前記第２の文字列に基づいて設定するフォルダ名設定手段と、を更に有するように構成してもよい。
【００１７】
この構成によれば、携帯電話側で入力された文字を電子カメラでの撮影により得られる画像データファイルを格納するフォルダのフォルダ名の一部若しくは全部とすることができるので、コンピュータ等を使用しなくてもこのフォルダ名を使用者がある程度自由に設定することができる。
【００１８】
また、前述した構成を有する携帯電話において、通話先を特定する名称を示す文字データと、該通話先の電話番号とが関連付けられている電話帳を記憶する電話帳記憶手段と、使用者の選択に応じて、前記電話帳から選択される前記名称を示す文字データを取得する第２の文字データ取得手段と、を更に有し、前記文字データ送信手段は、前記第２の文字データ取得手段で取得した文字データを、前記第２のデータ授受手段を介して前記ファイル名要求を送信した電子カメラに送信する、ように構成してもよい。
【００１９】
この電話帳の通話先の名称には人の名前が定義されていることが多く、また、電子カメラで人を撮影したときにはその人の名前を記録しておきたい場合が多いので、この構成によれば、電話帳の通話先の名称を流用することで人の名前についての情報を入力する手間を簡素化することができる。
【００２０】
【発明の実施の形態】
以下、本発明の実施の形態を図面に基づいて説明する。
図１は、本発明を実施する電子カメラの構成を示す図である。この電子カメラは、静止画の撮影を行なって得られた画像をデジタルデータとして記録する、いわゆるデジタルスチルカメラであり、後述する携帯電話に入力された文字列を受信し、撮影によって得られた画像データファイルのファイル名をその文字列とする機能を有する。
【００２１】
同図において、撮影レンズ系１１、撮像素子１２、撮像回路１３、及びＡ／Ｄ（アナログ／デジタル）変換回路１４で撮像部が構成されている。撮像部では、撮像レンズ系１１によって結像された被写体像が撮像素子１２によって光電変換され、その変換出力である画像信号が撮像回路１３を介してＡ／Ｄ変換回路１４に入力されるとそこでアナログ−デジタル変換されてデジタルデータである画像データが得られる。ここで、撮影レンズ系１１に備えられているレンズは、レンズ駆動制御回路１５により制御されているレンズ駆動部１６により駆動され、被写体像のフォーカスの調整が行なわれる。
【００２２】
シスコン（システムコントローラ）１７は、ＣＰＵ（中央演算処理装置）を備えて構成され、図１に示す電子カメラを構成する各部を制御すると共に、画像データで示される画像の明暗・彩度・色合いなどを補正する各種の画像処理を行なう。
【００２３】
ＡＳＩＣ（Application Specific Integrated Circuit ）部１８は、ＪＰＥＧ（Joint Photographic Experts Group）方式による画像データの圧縮処理及び伸張処理を行なう。
ＲＡＭ１９は、画像データを一時的に蓄えるバッファメモリとして使用される他、シスコン１７による各種処理のための作業用の記憶領域としても使用されるランダム・アクセス・メモリである。
【００２４】
ＲＯＭ２０は、電子カメラを構成する各部の制御をシスコン１７に備えられているＣＰＵに行なわせるための制御プログラムや、各種の処理のために必要な演算データが予め格納されているリード・オンリ・メモリである。
メモリＩ／Ｆ（インタフェース）２１は、カードスロット２２に挿入されたメモリカード２３との間でデータの授受を行なうためのインターフェース機能を提供するものであり、データの読み書きの可能な半導体メモリを備えて構成されるメモリカード２３への画像データの書き込み、あるいはメモリカード２３からの画像データの読み出しの処理が行なわれる。
【００２５】
無線送受信回路２４は、後述する携帯電話との間で電磁波を利用した無線通信を行なうためのものであり、各種のデータで搬送波を変調して得られる高周波信号をアンテナ２５から無線通信路に送出し、あるいはアンテナ２５で受信された高周波信号を復調してデータを再生する。
【００２６】
ビデオメモリ２６はシスコン１７での画像処理によって得られる表示用の画像データを一時的に保持しておくためのメモリであり、この画像データはその後ビデオメモリから読み出されてビデオ出力回路２７に入力されてビデオ信号である画像信号に変換される。この画像信号が画像表示ＬＣＤ（Liquid Crystal Display）２８に入力されると画像が表示される。また、この画像信号はビデオアウト端子２９を介して他の機器へ送出することも可能である。
【００２７】
操作部３０は、ユーザにより操作されるレリーズボタン、ズームレバー、動作モードなどの選択スイッチ等により構成され、ユーザからの各種の指示を受け取ってシスコン１７に伝えるためのものである。
電源部３１は、電池３２の電圧若しくは外部電源端子３３に入力された電力の電圧を制御してこの電子カメラを構成する各部に電力を供給する。
【００２８】
ストロボ発光部３４は、ストロボを使用する撮影の際にストロボを発光させるためのものである。
次に図２について説明する。同図は、本発明を実施する携帯電話の構成を示す図である。この携帯電話は、ユーザによって入力された文字列を、前述した電子カメラに宛てて無線伝送路に送出する機能を有するものであり、電子カメラで受信されたこの文字列は、画像データファイルのファイル名として使用される。
【００２９】
シスコン（システムコントローラ）４１は、ＣＰＵ（中央演算処理装置）を備えて構成され、図２に示す携帯電話の各構成部を制御する。
音声入出力部４２は、ユーザの声音を音声信号データに変換して無線送受信部４３に渡し、また、無線送受信部４３から出力される音声信号データを増幅してスピーカを駆動し、音声を放音する。
【００３０】
無線送受信部４３は、他の電話との間で直接に、若しくは交換機を経由して電磁波を利用した無線通信を行なうためのものであり、各種のデータで搬送波を変調して得られる高周波信号をアンテナ２５から無線通信路に送出し、あるいはアンテナ２５で受信された高周波信号を復調してデータを再生する。なお、この無線送受信部４３は、前述した電子カメラとの間で直接に無線通信を行なうことをも可能とし、電子カメラとの間で各種のデータの授受が行なえる。
【００３１】
表示部４５は、シスコン４１から送付されるデータに応じた表示を行なって、ユーザに各種の情報を提供する。
キー操作部４６は、テンキー等の各種スイッチで構成され、通話先の電話番号などといったユーザからの各種の指示を受け取ってシスコン４１に伝えるためのものである。なお、この携帯電話は通話先である人名や社名等の名称とその通話先の電話番号とを対応付けて記憶しておく電話帳機能を有しており、このキー操作部４６を操作することによって、この名称をシスコン４１に伝えるための文字入力が可能である。
【００３２】
ＲＯＭ４７は、この携帯電話を構成する各部の制御をシスコン４１に備えられているＣＰＵに行なわせるための制御プログラムが予め格納されているリード・オンリ・メモリである。
ＲＡＭ４８は、シスコン４１による各種処理のための作業用の記憶領域として、また、上述した電話帳機能のための名称及び電話番号の記憶領域として使用されるランダム・アクセス・メモリである。
【００３３】
以下、図１に示す電子カメラのシスコン１７及び図２に示す携帯電話４１のシスコン４１に各々備えられているＣＰＵによって行なわれる、本発明に関係する各種の制御処理について説明する。なお、これらの処理は、いずれも電子カメラのＲＯＭ２０若しくは携帯電話のＲＯＭ４７に格納されている制御プログラムをＣＰＵが読み取って実行することによって実現される。
【００３４】
まず、図３について説明する。同図は電子カメラのシスコン１７で行なわれる制御処理の処理内容を示すフローチャートである。
図１に示す電子カメラは、大きく分けて、撮影モードと再生モードとの２つの動作モードを有している。撮影モードは被写体の撮影を行なって得られた画像データをメモリカード２３に記録する動作を行なわせる動作モードであり、再生モードはメモリカード２３に記録されている画像データを読み出してその画像データで示される画像を画像表示ＬＣＤ２８に表示（若しくはその画像を示す画像信号をビデオアウト端子２９から出力）させる動作モードである。
【００３５】
これらの動作モードの切り換えは操作部３０に備えられている動作モード選択スイッチを操作することによって行なうことが可能である。図３に示すフローチャートは、撮影モードが選択されたときにシスコン１７で開始される処理を（ａ）に、再生モードが選択されたときにシスコン１７で開始される処理を（ｂ）に、それぞれ示している。
【００３６】
まず、撮影モードでの処理について、図３（ａ）に沿って説明する。
まず、Ｓ１０１において、操作部３０に設けられているズームレバーへの操作がなされたか否かが判定され、判定結果がＹｅｓならば、Ｓ１０２において、レンズ駆動部１６で撮影レンズ系１１のレンズをズームレバーへの操作に応じて駆動させる指示がレンズ駆動制御回路１５に与えられ、その後はＳ１０１の判定処理が繰り返される。一方、Ｓ１０１の判定結果がＮｏならばＳ１０３に処理が進む。
【００３７】
Ｓ１０３では、操作部３０に設けられているレリーズボタンへファーストレリーズ（いわゆるレリーズボタンの半押し）の操作がなされたか否かが判定され、判定結果がＹｅｓならばＳ１０４においてＡＥ（自動露出調整）処理及びＡＦ（自動焦点調整）処理が実行される。一方、Ｓ１０３の判定結果がＮｏならばＳ１０１へ処理が戻り、上述した処理が繰り返される。
【００３８】
Ｓ１０５では、操作部３０に設けられているレリーズボタンへセカンドレリーズ（いわゆるレリーズボタンの全押し）の操作がなされたか否かが判定され、判定結果がＹｅｓならばＳ１０６において撮像処理が実行され、撮像部から画像データが出力されてＲＡＭ１９に一時的に保持される。一方、Ｓ１０５の判定結果がＮｏならばＳ１０１へ処理が戻り、上述した処理が繰り返される。
【００３９】
ここで、Ｓ１０７において、画像データを画像データファイルとして記録するときに、その画像データファイルに特定の名称を付すか否かを電子カメラのユーザに問い合わせる表示を画像表示ＬＣＤ２８に行なわせる処理が実行され、この表示に応じて特定の名称を付す旨の回答を示す操作が操作部３０になされれば  （Ｓ１０７の判定処理の結果がＹｅｓ）、Ｓ１０８においてファイル名設定処理が実行された後に処理がＳ１１０に進む。一方、特定の名称を付さない旨の回答を示す操作が操作部３０になされれば（Ｓ１０７の判定処理の結果がＮｏ）、Ｓ１０９において、予め用意されているファイル名付与の定義に従ったファイル名がその画像データファイルとして設定される。ファイル名設定処理の詳細は後述する。
【００４０】
Ｓ１１０ではＲＡＭ１９に保持されていた画像データが読み出されて所定の画像処理がシスコン１７で施された後にＡＳＩＣ部１８へと送られ、Ｓ１１１において画像データの圧縮処理が施される。こうして得られた圧縮画像データは、Ｓ１１２においてメモリＩ／Ｆ２１を経由してメモリカード２３へと送られて所定のフォルダ内に画像データファイルとして記録される。このとき、画像データファイルには前述したＳ１０８若しくはＳ１０９のいずれかの処理によってその画像データに対して設定されたファイル名が付される。
【００４１】
その後Ｓ１１３において、操作部３０に設けられている動作モードの選択スイッチが操作されていたか否かが判定され、判定結果がＹｅｓならばこの撮影モードでの処理が終了し、動作モードが他のものに遷移する。一方、Ｓ１１３の判定結果がＮｏならばＳ１０１へ処理が戻り、上述した処理が繰り返される。
【００４２】
以上までの処理が撮影モードで行なわれる処理である。
なお、シスコン１７の処理能力に余裕があれば、上述した処理において、Ｓ１０７からＳ１０９にかけて行なわれる画像データファイルのファイル名を設定する処理と、Ｓ１１０からＳ１１１にかけて行なわれる画像処理及びデータ圧縮処理とを並行して行なうようにしてもよい。
【００４３】
次に、再生モードでの処理について、図３（ｂ）に沿って説明する。
まず、Ｓ２０１では、メモリカード２３の所定のフォルダ内に記録されている画像データファイルがひとつ読み出され、そこに格納されている圧縮画像データがＳ２０２においてＡＳＩＣ部１８に渡されて画像データの伸張処理が施された後にビデオメモリ２６に一時的に保持される。この画像データは、Ｓ２０３の処理によってビデオメモリ２６から読み出されてビデオ出力回路２７で画像信号に変換されて画像表示ＬＣＤ２８で画像として表示され、また必要に応じて画像信号がビデオアウト端子２９から出力される。
【００４４】
ここで、Ｓ２０４において、画像表示ＬＣＤ２８で表示中の画像（あるいはビデオアウト端子２９から出力中の画像信号）についての画像データファイルのファイル名を改めて設定するか否かを電子カメラのユーザに問い合わせる表示を画像表示ＬＣＤ２８に行なわせる処理が実行され、この表示に応じて特定の名称を付す旨の回答を示す操作が操作部３０になされたときにのみ（Ｓ２０４の判定処理の結果がＹｅｓのときにのみ）、Ｓ２０５において、前述した撮影モード時での処理におけるＳ１０８で行なわれるものと同様のファイル名設定処理が実行される。
【００４５】
その後、Ｓ２０６において、操作部３０に対してメモリカード２３の所定のフォルダ内に記録されている別の画像データファイルについての画像を選択して表示させる（あるいは画像信号を出力させる）指示を示す操作がなされたか否かが判定され、判定結果がＹｅｓならばＳ２０１へ処理が戻り、選択された画像データファイルについて上述した処理が繰り返される。一方、この判定結果がＮｏならば、Ｓ２０７において、操作部３０に設けられている動作モードの選択スイッチが操作されていたか否かが判定され、判定結果がＹｅｓならばこの再生モードでの処理が終了し、動作モードが他のものに遷移する。一方、Ｓ２０７の判定結果がＮｏならばＳ２０４へ処理が戻り、上述した処理が繰り返される。
【００４６】
以上までの処理が再生モードで行なわれる処理である。
次に、前述したシスコン１７で行なわれる制御処理におけるＳ１０８（図３（ａ））及びＳ２０５（図３（ｂ））で実行される、ファイル名設定処理について説明する。この処理は、携帯電話に入力された文字列を受信し、画像データファイルのファイル名をその文字列として設定する処理である。そのため、このファイル名設定処理自体は電子カメラのシスコン１７で行なわれるが、これと関係する処理が携帯電話のシスコン４１で行なわれる。
【００４７】
ファイル名設定処理の処理内容を図４にフローチャートで示す。同図では、電子カメラのシスコン１７で行なわれる処理を（ａ）に示し、この処理に関連して携帯電話のシスコン４１で行なわれる処理を（ｂ）に示している。
まず、図４（ａ）のＳ３０１において、携帯電話の探索処理が実行される。この処理は、電子カメラと無線通信路を介してデータ授受を直接に行なうことのできる携帯電話の存在を探索する処理であり、その処理の詳細を図５にフローチャートで示している。この処理も電子カメラと携帯電話との連携により実現される処理であり、電子カメラのシスコン１７で行なわれる処理を（ａ）に示し、この処理に関連して携帯電話のシスコン４１で行なわれる処理を（ｂ）に示している。
【００４８】
以下、図５について説明する。なお、この処理の前提として、電子カメラには、この電子カメラに対して文字列を送信する携帯電話を特定するために、その携帯電話に固有のＩＤ（識別子）が予め設定されておりＲＡＭ１９に記憶されている。このＩＤとしては、例えばその携帯電話に割り当てられている電話番号を流用することが可能である。
【００４９】
（ａ）のＳ４０１において、まず、電子カメラのシスコン１７は無線送受信回路２４を動作させて所定の探索信号を無線伝送路に送出させる。
一方、携帯電話のシスコン４１は（ｂ）のＳ４５１で無線送受信部４３の受信処理を継続させている。ここで、上述した探索信号がアンテナ４４で受信され無線送受信部４３で復調されてシスコン４１に入力されると、シスコン４１は割り込み処理を開始し、Ｓ４５２においてこの携帯電話のＩＤを情報として含む所定の形式のアドレスデータを無線送受信部４３に渡してアドレス信号を生成させて無線伝送路に送出させる。
【００５０】
電子カメラのシスコン１７は、（ａ）のＳ４０２において、携帯電話から送出されるアドレス信号であってＲＡＭ１９に記憶されているＩＤを情報として含んでいるものが、アンテナ２５で受信されて無線送受信回路２４で復調されるか否かを判定し、そのようなアドレスデータを受け取ればＳ４０２の判定結果をＹｅｓとしてＳ４０３に処理を進める。一方、探索信号を送出してから所定時間を経過してもそのようなアドレスデータを受け取らなければＳ４０２の判定結果をＮｏとし、Ｓ４０６に処理を進める。
【００５１】
Ｓ４０３では、電子カメラのシスコン１７は、所定のＩＤを含むアドレス信号が受信されたことを携帯電話に通知するコマンドであるＩＤ取得コマンドを含む信号を無線送受信回路２４に送出させる。
携帯電話のシスコン４１は、（ｂ）のＳ４５３において、電子カメラから送出される上述したＩＤ取得コマンドを含む信号がアンテナ４４で受信されて無線送受信部４３で復調されたか否かを判定し、ＩＤ取得コマンドを受け取ればＳ４５３の判定結果をＹｅｓとしてＳ４５４に処理を進め、前述したアドレス信号を再度送出し、その後はこの割り込み処理を終了する。一方、前述したアドレス信号を送出してから所定時間を経過してもＩＤ取得コマンドを受け取らなければアドレス信号の再送出を行なわずにこの割り込み処理を終了する。
【００５２】
電子カメラのシスコン１７は、（ａ）のＳ４０４において、電子カメラから再度送出されるアドレス信号がアンテナ４４で受信されて無線送受信部４３で復調されたか否かを判定し、アドレスデータを受け取ればＳ４０４の判定結果をＹｅｓとしてＳ４０５に処理を進め、前述したＳ４０３の処理による信号の送出から所定時間を経過してもアドレスデータを受け取らなければＳ４０４の判定結果をＮｏとしてＳ４０６に処理を進める。
【００５３】
Ｓ４０５では、シスコン１７は、「通信可能な携帯電話有り」を示す情報を図４（ａ）の処理に返し、図５（ａ）に示す処理を終了する。
Ｓ４０６では、シスコン１７は、「通信可能な携帯電話無し」を示す情報を図４（ａ）の処理に返し、図５（ａ）に示す処理を終了する。
【００５４】
図４（ａ）の処理の説明へ戻る。
Ｓ３０１の携帯電話の探索処理の結果、通信可能な携帯電話が見つけられたか否かがＳ３０２で判定され、この判定結果がＹｅｓならばＳ３０３に進み、ＮｏならばＳ３０７に進む。
【００５５】
Ｓ３０３では、電子カメラのシスコン１７は無線送受信回路２４を動作させて所定のファイル名設定要求コマンドを信号を携帯電話に宛てて無線伝送路に送出させる。
Ｓ３０４では、前ステップで送出したファイル名設定要求コマンドに呼応して携帯電話から送信される信号が無線送受信回路２４で受信されたか否かを判定し、この信号が受信されるまでＳ３０４の処理が繰り返される。
【００５６】
Ｓ３０５では、前ステップで受信が確認された信号から無線送受信回路２４で復調されて得られるファイル名を示す文字列データが、シスコン１７で受信される。
Ｓ３０６では、前ステップで受信されたデータに示されているファイル名が画像データファイルのファイル名として設定されて図３の（ａ）若しくは（ｂ）の処理に返され、その後はこのファイル名設定処理が終了する。
【００５７】
一方、前述したＳ３０２の判定処理の結果がＮｏであったときには、Ｓ３０７において、通信可能な携帯電話が無かった旨を電子カメラのユーザに通知する警告表示を画像表示ＬＣＤ２８に行なわせる。
Ｓ３０８では、現在の動作モードが撮影モードであるか否かが判定され、判定結果がＹｅｓの場合にのみ、Ｓ３０９において予め設定されているデフォルトのファイル名が図３の（ａ）の処理に返され、撮影画像の画像データファイルのファイル名として設定される。その後はこのファイル名設定処理が終了する。
【００５８】
次に、図４（ｂ）に示す携帯電話のシスコン４１で行なわれる処理について説明する。
まず、Ｓ３５１では、図４（ａ）のＳ３０３の処理によって電子カメラから送出される信号が無線送受信部４３で受信されたか否かが判定され、この信号が受信されるまでＳ３５１の処理が繰り返され、信号が受信されるとこの割り込み処理が開始される。
【００５９】
Ｓ３５２では、前ステップで受信が確認された信号から無線送受信部４３で復調されて得られるファイル名設定要求コマンドが、シスコン４１で受信される。
Ｓ３５３では、携帯電話のユーザにファイル名の入力を指示する表示であるファイル名入力画面表示を表示部４５に行なわせる。
【００６０】
ここで、図６について説明する。同図は、携帯電話の表示部４５に表示される画面の例を示す図である。
まず、図４（ｂ）のＳ３５３の処理によって画面（Ａ）が表示部４５に表示される。この表示は、ファイル名を新たに入力するか、あるいは既に入力済みである電話帳に記されている名前をファイル名として使用するかの選択を促す画面である。この画面に対し、ファイル名を新たに入力することを選択（１．を選択）すると、表示部４５の表示はファイル名の入力を行なわせる画面（Ｂ）に変更される。一方、画面（Ａ）に対して電話帳に記されている名前を使用することを選択（２．を選択）すると、表示部４５の表示は、電話帳の記憶内容から名前を読み出して表示させると共にそこからファイル名として使用する名前を選択させる画面（Ｃ）に変更される。
【００６１】
画面（Ａ）から画面（Ｂ）若しくは画面（Ｃ）を表示させる制御は、図４（ｂ）のＳ３５４からＳ３５６にかけての処理の実行によって行なわれる。
まず、Ｓ３５４で、ユーザによるキー操作部４６への入力がファイル名の設定のために電話帳を利用することを選択するものであるか否かが判定される。そして、この判定結果がＹｅｓ（図６の画面（Ａ）において２．を選択）ならば、Ｓ３５５において図６の画面（Ｃ）を表示部４５に表示させてファイル名として使用する名前をユーザに選択させる入力を行なわせ、その後はＳ３５７に進む。一方、Ｓ３５４の判定結果がＮｏ（図６の画面（Ａ）において１．を選択）ならば、Ｓ３５６において図６の画面（Ｂ）を表示部４５に表示させてユーザにファイル名を新規に入力させる。
【００６２】
Ｓ３５７では、Ｓ３５５若しくはＳ３５６におけるユーザからの入力が終了したか否かが判定され、判定結果がＹｅｓならば、Ｓ３５８において無線送受信部４３を動作させ、Ｓ３５５若しくはＳ３５６の処理によって取得されたファイル名をデータとして含む信号を電子カメラに宛てて無線伝送路に送出させ、その後、この割り込み処理が終了する。一方、Ｓ３５７の判定結果がＮｏならばＳ３５４へ処理が戻って上述した処理が繰り返される。
【００６３】
図１に示す電子カメラのシスコン１７及び図２に示す携帯電話のシスコン４１によって以上までに説明した処理が各々実行されることによって、電子カメラでの撮影によって得られた画像データファイルのファイル名を携帯電話への文字列の入力によって設定することが可能となる。
【００６４】
なお、図３（ｂ）に示した再生モードでの処理において、メモリーカード２３に記録されている画像データファイルをユーザが複数選択できるようにし、この結果選択された複数の画像データファイルに、携帯電話に入力されて電子カメラに送信される文字列を共通に含むファイル名を設定するようにしてもよい。このためには、例えば、携帯電話から送信される文字列と、それぞれが異なる連番の番号とを組み合わせてなるファイル名を各画像データファイルに付す（例えば、「社員旅行００１．ｊｐｇ」、「社員旅行００２．ｊｐｇ」、…、など）ようにするとよい。このようにしておくと、画像データファイルのファイル名に基づいたグループ化を行なうことができるので、画像データファイルの整理に便利である。
【００６５】
また、携帯電話のＩＤが複数設定されており、図３（ａ）のＳ３０１の探索処理により通信可能な携帯電話が複数存在する場合は、電子カメラ側で、ファイル名を入力するための携帯電話を選択できるように構成すればよい。
次に、前述した図１の電子カメラ及び図２の携帯電話を用いて、電子カメラでの撮影によって得られた画像データファイルを格納するフォルダのフォルダ名を携帯電話への文字列の入力によって設定を行なえるようにする実施例について説明する。
【００６６】
まず、図７について説明する。同図はフォルダ作成処理の処理内容を示すフローチャートである。フォルダ作成処理は、図１に示す電子カメラに挿入されて使用されるメモリカード２３の記憶領域にフォルダを新規に作成し、そのフォルダにフォルダ名を設定する処理である。
【００６７】
なお、この実施例においてはフォルダを作成するための動作モードを電子カメラに追加するようにし、フォルダ作成処理はこの動作モードが選択されたときに電子カメラのシスコン１７によって実行される。
まず、Ｓ５０１において、メモリカード２３の記憶領域にフォルダが作成される。
【００６８】
続いて、Ｓ５０２では、前ステップの処理によって作成されたフォルダに特定の名称を付すか否かを電子カメラのユーザに問い合わせる表示を画像表示ＬＣＤ２８に行なわせる処理が実行され、この表示に応じて特定の名称を付す旨の回答を示す操作が操作部３０になされれば（Ｓ５０２の判定処理の結果がＹｅｓ）、Ｓ５０３においてフォルダ名設定処理が実行され、その後に処理がＳ５０５に進む。一方、特定の名称を付さない旨の回答を示す操作が操作部３０になされれば（Ｓ５０２の判定処理の結果がＮｏ）、Ｓ５０４において、予め用意されているフォルダ名付与の定義に従ったフォルダ名がＳ５０１の処理によって作成されたフォルダに設定される。フォルダ名設定処理の詳細は後述する。
【００６９】
Ｓ５０５では、フォルダの作成を更に行なうか否かを電子カメラのユーザに問い合わせる表示を画像表示ＬＣＤ２８に行なわせる処理が実行され、この表示に応じてフォルダの作成を更に行なう回答を示す操作が操作部３０になされれば（Ｓ５０５の判定処理の結果がＹｅｓ）、Ｓ５０１へ処理が戻されて上述した処理が繰り返される。一方、フォルダの作成を行なわない旨の回答を示す操作が操作部３０になされれば（Ｓ５０５の判定処理の結果がＮｏ）、このフォルダ作成処理が終了する。
【００７０】
次に、図８について説明する。同図はフォルダ名変更処理の処理内容を示すフローチャートである。フォルダ名変更処理は、図１に示す電子カメラに挿入されて使用されるメモリカード２３の記憶領域に格納されているフォルダに付されているフォルダ名を変更する処理である。
【００７１】
なお、このフォルダ名変更処理は、前述したフォルダ作成処理と同様に、電子カメラに追加した動作モードであって、フォルダ名の変更を行なうための該動作モードが選択されたときに電子カメラのシスコン１７によって実行される。
まず、Ｓ６０１において、メモリカード２３の記憶領域に格納されているフォルダから、フォルダ名を変更する対象とするフォルダが選択される。
【００７２】
続くＳ６０２では、前述したフォルダ作成処理におけるＳ５０３（図７）で行なわれるものと同様のフォルダ名設定処理が実行される。
Ｓ６０３では、フォルダ名の変更を更に行なうか否かを電子カメラのユーザに問い合わせる表示を画像表示ＬＣＤ２８に行なわせる処理が実行され、この表示に応じてフォルダ名の変更を更に行なう回答を示す操作が操作部３０になされれば（Ｓ６０３の判定処理の結果がＹｅｓ）、Ｓ６０１へ処理が戻されて上述した処理が繰り返される。一方、フォルダ名の変更を行なわない旨の回答を示す操作が操作部３０になされれば（Ｓ６０３の判定処理の結果がＮｏ）、このフォルダ名変更処理が終了する。
【００７３】
次に、前述したフォルダ作成処理及びフォルダ名変更処理におけるＳ５０３（図７）若しくはＳ６０２（図８）で実行される、フォルダ名設定処理について説明する。この処理は、携帯電話に入力された文字列を受信し、画像データファイルを格納するフォルダのフォルダ名をその文字列として設定する処理であり、この処理自体は電子カメラのシスコン１７で行なわれるが、これと関係する処理が携帯電話のシスコン４１で行なわれる。
【００７４】
フォルダ名設定処理の処理内容を図９にフローチャートで示す。同図では、電子カメラのシスコン１７で行なわれる処理を（ａ）に示し、この処理に関連して携帯電話のシスコン４１で行なわれる処理を（ｂ）に示している。
まず、図９（ａ）のＳ７０１において、図５に示したものと同様の携帯電話の探索処理が実行される。この結果、通信可能な携帯電話が見つけられたか否かがＳ７０２で判定され、この判定結果がＹｅｓならばＳ７０３に進み、ＮｏならばＳ７０７に進む。
【００７５】
Ｓ７０３では、電子カメラのシスコン１７は無線送受信回路２４を動作させて所定のフォルダ名設定要求コマンドを信号を携帯電話に宛てて無線伝送路に送出させる。そして、Ｓ７０４において、このフォルダ名設定要求コマンドに呼応して携帯電話から送信される信号が無線送受信回路２４で受信されたか否かが判定され、この信号が受信されるまでＳ７０４の処理が繰り返される。
【００７６】
Ｓ７０５では、前ステップで受信が確認された信号から無線送受信回路２４で復調されて得られるフォルダ名を示す文字列データが、シスコン１７で受信される。そして、Ｓ７０６において、この受信されたデータに示されているフォルダ名が図７若しくは図８の処理に返され、その後はこのフォルダ名設定処理が終了する。
【００７７】
一方、前述したＳ７０２の判定処理の結果がＮｏであったときには、Ｓ７０７において、通信可能な携帯電話が無かった旨を電子カメラのユーザに通知する警告表示を画像表示ＬＣＤ２８に行なわせる。そして、Ｓ７０８において、このフォルダ名設定処理の処理ルーチンを呼び出したのががフォルダ作成処理であるか否かが判定され、判定結果がＹｅｓの場合にのみ、Ｓ７０９において予め設定されているデフォルトのフォルダ名が図７の処理に返される。その後はこのフォルダ名設定処理が終了する。
【００７８】
次に、図９（ｂ）に示す携帯電話のシスコン４１で行なわれる処理について説明する。
まず、Ｓ７５１では、図７（ａ）のＳ７０３の処理によって電子カメラから送出される信号が無線送受信部４３で受信されたか否かが判定され、この信号が受信されるまでＳ７５１の処理が繰り返され、信号が受信されるとこの割り込み処理が開始される。
【００７９】
Ｓ７５２では、前ステップで受信が確認された信号から無線送受信部４３で復調されて得られるフォルダ名設定要求コマンドが、シスコン４１で受信される。
Ｓ７５３では、携帯電話のユーザにフォルダ名の入力を指示する表示であるフォルダ名入力画面表示を表示部４５に行なわせる。そして、Ｓ７５４で、ユーザによるキー操作部４６への入力がフォルダ名の設定のために電話帳を利用することを選択するものであるか否かが判定され、この判定結果がＹｅｓならば、Ｓ７５５において電話帳データとして記憶されている名前を表示部４５に表示させてフォルダ名として使用する名前をユーザに選択させる入力を行なわせ、その後はＳ７５７に進む。一方、Ｓ７５４の判定結果がＮｏならば、Ｓ７５６においてフォルダ名の新規入力を促す画面を表示部４５に表示させてユーザにフォルダ名を入力させる。
【００８０】
以上のＳ７５３、Ｓ７５５、Ｓ７５６の処理によって表示部４５に画面は、例えば、各々図６に示した画面例と同様のものを、「ファイル名」の部分を「フォルダ名」と変えて使用すればよい。
Ｓ７５７では、Ｓ７５５若しくはＳ７５６におけるユーザからの入力が終了したか否かが判定され、判定結果がＹｅｓならば、Ｓ７５８において無線送受信部４３を動作させ、Ｓ７５５若しくはＳ７５６の処理によって取得されたフォルダ名をデータとして含む信号を電子カメラに宛てて無線伝送路に送出させ、その後、この割り込み処理が終了する。一方、Ｓ７５７の判定結果がＮｏならばＳ７５４へ処理が戻って上述した処理が繰り返される。
【００８１】
図１に示す電子カメラのシスコン１７及び図２に示す携帯電話のシスコン４１によって以上までに説明した処理が各々実行されることによって、電子カメラでの撮影によって得られた画像データファイルを格納するフォルダのフォルダ名を携帯電話への文字列の入力によって設定することが可能となる。
【００８２】
なお、以上までに説明した、文字列データを携帯電話から電子カメラへ伝送する機能を利用して、撮影した画像についてのコメントを示す文字列を携帯電話から電子カメラへ伝送し、そのコメントをその画像についての画像データファイルに追加し、あるいはそのコメントをその画像についての画像データファイルに関連付けてメモリカード２３に格納させるようにしても便利である。
【００８３】
また、上述した実施例における携帯電話では、電子カメラとのデータ授受を行なうための無線送受信部を電話の通話用に使用されるものをそのまま利用するようにしていたが、電子カメラとのデータ授受を行なう無線送受信部を電話の通話用のものと別個に設けるようにしてもよい。また、携帯電話と電子カメラとに有線によるデータ授受の機能を提供する有線送受信部を設け、両者を有線接続することでデータ授受を行なうようにしてもよい。
【００８４】
また、上述した実施例ではファイル名等の文字入力を携帯電話のキー操作部によって行なうようにしていたが、入力された音声を文字データに変換する、いわゆる音声認識機能を携帯電話に付加し、音声によって文字データを入力するように構成してもよい。
【００８５】
また、上述した実施例においては携帯電話の表示部への表示によってファイル名等の文字入力をユーザに促すようにしていたが、スピーカから音声等を放音することによって文字入力を促すように構成してもよい。
【００８６】
【発明の効果】
以上詳細に説明したように、本発明は、被写体像の光電変換を行なって該被写体像に対応する画像データを得る撮像手段と、前記撮像手段で得られた画像データを画像データファイルとして記録媒体に記録する画像記録手段と、携帯電話との間でデータの授受を行なうデータ授受手段と、前記データ授受手段を介して、所定の携帯電話にファイル名要求を送信し、前記ファイル名要求に応じて前記所定の携帯電話から送信された文字列を受信する文字列受信手段と、使用者の操作に応じて、前記画像データファイルに付与するファイル名の設定方法を選択する選択手段と、前記選択手段で第１の方法が選択された場合には、前記ファイル受信手段で受信した文字列をファイル名として設定し、第２の方法が選択された場合には、予め用意された定義に従ったファイル名を設定するファイル名設定手段と、を有する電子カメラと、無線通信路を介して電話交換機との間で音声信号の授受を行なうことによって通話を行なう携帯電話であって、前記電子カメラとの間でデータの授受を行なう第２のデータ授受手段と、前記第２のデータ授受手段を介して、前記電子カメラから前記ファイル名要求を受信するファイル名要求受信手段と、使用者の操作に応じて入力された文字データを取得する文字データ取得手段と、前記文字データ取得手段で取得した文字データを文字列として、前記第２のデータ授受手段を介して前記ファイル名要求を送信した電子カメラに送信する文字データ送信手段と、を有する携帯電話とにより、携帯電話への入力情報に基づいた文字データを電子カメラで記録媒体に記録することを可能とする。
【００８７】
そして、本発明は、以上の構成により、電子カメラに文字入力のための操作子を新たに設けることなく、文字による各種の情報を受け取って記録媒体に記録させることができるようになるという効果を奏する。
【図面の簡単な説明】
【図１】本発明を実施する電子カメラの構成を示す図である。
【図２】本発明を実施する携帯電話の構成を示す図である。
【図３】電子カメラのシスコンで行なわれる制御処理の処理内容を示すフローチャートである。
【図４】ファイル名設定処理の処理内容を示すフローチャートである。
【図５】携帯電話探索処理の処理内容を示すフローチャートである。
【図６】携帯電話の表示部に表示される画面の例を示す図である。
【図７】フォルダ作成処理の処理内容を示すフローチャートである。
【図８】フォルダ名変更処理の処理内容を示すフローチャートである。
【図９】フォルダ名設定処理の処理内容を示すフローチャートである。
【符号の説明】
１１  撮影レンズ系
１２  撮像素子
１３  撮像回路
１４  Ａ／Ｄ変換回路
１５  レンズ駆動制御回路
１６  レンズ駆動部
１７、４１  システムコントローラ
１８  ＡＳＩＣ部
１９、４８  ＲＡＭ
２０、４７  ＲＯＭ
２１  メモリインタフェース
２２  カードスロット
２３  メモリカード
２４  無線送受信回路
２５、４４  アンテナ
２６  ビデオメモリ
２７  ビデオ出力回路
２８  画像表示ＬＣＤ
２９  ビデオアウト端子
３０  操作部
３１  電源部
３２  電池
３３  外部電源入力端子
３４  ストロボ発光部
４２  音声入出力部
４３  無線送受信部
４５  表示部
４６  キー操作部
【図１】
0004468566.tif 000002
【図２】
0004468566.tif 000003
【図３】
0004468566.tif 000004
【図４】
0004468566.tif 000005
【図５】
0004468566.tif 000006
【図６】
0004468566.tif 000007
【図７】
0004468566.tif 000008
【図８】
0004468566.tif 000009
【図９】
0004468566.tif 000010